(57)【要約】【課題】本発明はブラケットを介して躯体に面格子をとりつける面格子の取付構造に関する。【解決手段】躯体に止具を介してとりつけられるブラケットに面格子がとりつけられる構造の面格子取付構造において、上記ブラケットの上部には、面格子仮置き用の引っ掛け部を形成し、上記面格子の枠体の上部には上記ブラケットの引っ掛け部に仮置きされる引っ掛け部を内側に突出して形成し、面格子の取付に際してはブラケットの引っ掛け部に面格子の引っ掛け部を引っ掛けて仮置きした状態で、ブラケットに面格子を止具を介して固定することを特徴とする面格子の取付構造。【選択図】図３
2020190172.tif 000002
【特許請求の範囲】
【請求項１】
躯体に止具を介してとりつけられるブラケットに面格子がとりつけられる構造の面格子取付構造において、上記ブラケットの上部には、面格子仮置き用の引っ掛け部を形成し、上記面格子の枠体の上部には上記ブラケットの引っ掛け部に仮置きされる引っ掛け部を内側に突出して形成し、面格子の取付に際してはブラケットの引っ掛け部に面格子の引っ掛け部を引っ掛けて仮置きした状態で、ブラケットに面格子の枠体を止具を介して固定することを特徴とする面格子の取付構造。
【請求項２】
ブラケットの引っ掛け部は凹み状に形成しており、その箇所に段付けネジ、金具などで形成される面格子の引っ掛け凸部を引っ掛けることを特徴とする請求項１記載の面格子の取付構造。
【請求項３】
ブラケットは面格子取付ブラケットと躯体取付ブラケットを備えており、面格子取付ブラケットは所定長さの取付主片を有し、該取付主片の上部には面格子仮置き用の引っ掛け凹部を形成し、さらに取付主片の一端に取付主片の長手方向に沿って係合溝部と躯体取付ブラケットの隠し板とを形成し、該係合溝部は底部と、一対の側部と、側部の先端を内側に折曲した係合部と、該係合部間に開口を形成しており、上記係合溝部の係合部の長手方向所定の内面に止金具を当てがい、外面に躯体取付ブラケットの一端を当てがって躯体取付ブラケットと止金具を止着し、躯体取付ブラケットと面格子取付ブラケットを連結固定し、面格子取付ブラケットの引っ掛け凹部に面格子の枠体に形成している引っ掛け凸部を引っ掛けて仮置きした状態で取付主片に面格子を取付けることを特徴とする請求項１または請求項２記載の面格子の取付構造。
【発明の詳細な説明】
【技術分野】
【０００１】本発明はサッシの外側にとりつけられる面格子の取付構造に関する。
【背景技術】
【０００２】従来公知の面格子取付構造は、サッシの外側にとりつけられる面格子は左右それぞれの躯体にブラケットをとりつけ、該ブラケットに面格子を取付ける構造である。
【発明の概要】
【発明が解決しようとする課題】
【０００３】従来面格子の付いた窓の網戸メンテナンスは面格子を跳ね上げる方法が主流であったが、跳ね上げた際共有の廊下面へ面格子が飛び出るため通行人に危害を及ぼす可能性を秘めていた。
上記した面格子の取付構造は、もともと躯体の表面、取付面の状態にばらつきがあり、そのためにブラケットに形成する止具挿通孔を長孔にするなどの調整孔を設けていた。
しかもブラケットへの面格子の取り付け作業は面格子を支えながら行うために二人ないし三人の作業員を要し、作業時間も要し、コストアップにもなっていた。
【課題を解決するための手段】
【０００４】本発明は次の特徴を備えている。
その１は、躯体に止具を介してとりつけられるブラケットに面格子がとりつけられる構造の面格子取付構造において、上記ブラケットの上部には、面格子仮置き用の引っ掛け部を形成し、上記面格子の枠体の上部には上記ブラケットの引っ掛け部に仮置きされる引っ掛け部を内側に突出して形成し、面格子の取付に際してはブラケットの引っ掛け部に面格子の引っ掛け部を引っ掛けて仮置きした状態で、ブラケットに面格子の枠体を止具を介して固定することを特徴とする面格子の取付構造である。【０００５】その２はその１の構成において、ブラケットの引っ掛け部は凹み状に形成しており、その箇所に段付けネジ、金具などで形成される面格子の引っ掛け凸部を引っ掛けることを特徴とする面格子の取付構造である。【０００６】その３は上記その１、その２の構成においてブラケットは面格子取付ブラケットと躯体取付ブラケットを備えており、面格子取付ブラケットは所定長さの取付主片を有し、該取付主片の上部には面格子仮置き用の引っ掛け凹部を形成し、さらに取付主片の一端に取付主片の長手方向に沿って係合溝部と躯体取付ブラケットの隠し板とを形成し、さらに上記係合溝部は底部と、一対の側部と、側部の先端を内側に折曲した係合部と、該係合部間に開口を形成しており、上記係合溝部の係合部の長手方向所定の内面に止金具を当てがい、外面に躯体取付ブラケットの一端を当てがって躯体取付ブラケットと止金具を止着し、躯体取付ブラケットと面格子取付ブラケットを連結固定し、面格子取付ブラケットの引っ掛け凹部に面格子の枠体に形成している引っ掛け凸部を引っ掛けて仮置きした状態で取付主片に面格子を取付けることを特徴とする面格子の取付構造である。
【発明の効果】
【０００７】ブラケットの上部に面格子の引っ掛け部を、面格子の枠体の上部にブラケットに引っ掛ける引っ掛け部を形成していることにより、以下の効果を奏する。
躯体に取り付けられたブラケットに面格子を装着するとき、面格子をブラケット上部に引っ掛けるだけで固定ビスの孔合わせを簡単にでき、一人の作業員で面格子の取り付け固定ができる。【０００８】ガラス掃除や網戸掃除の際に固定ビスを取り外しても面格子上部がブラケットに引っ掛けられた状態なので、一般ユーザーでも安全に面格子の脱着が可能である。さらに従来のように面格子が共有の廊下面に飛び出ることもない。【０００９】復旧に際しては面格子上部の引っ掛け部をブラケットに引っ掛け仮置きして左右の孔合わせをして固定ビスで止着できる。【００１０】面格子取付ブラケットは取付主片の一端に取付主片の長手方向に沿って係合溝部を形成しているので躯体取付ブラケットに対して長手方向に移動でき、止金具で止着して両ブラケットが連結固定できる。
さらに面格子取付ブラケットは取付主片の一端に隠し板を形成しているので躯体取付ブラケットが外部から隠されるという意匠効果がある。
【図面の簡単な説明】
【００１１】
【図１】本発明面格子の左右の枠体の実施例を示す要部斜視図で、Ａは一実施例、Ｂは別の実施例である。
【図２】本発明ブラケットの一実施例を示す斜視図である。
【図３】本発明面格子の取り付け状態の一実施例を示す要部斜視図である。
【図４】本発明面格子の取付状態の他の実施例を示す要部平面図である。
【発明を実施するための形態】
【００１２】図１は本発明面格子の枠体の実施例を示す要部斜視図で、Ａはその一実施例、Ｂは他の実施例である。１は面格子の左右の枠体で、該枠体の上部には内側に突出して引っ掛け部１ａ、１ｂを形成している。引っ掛け部１ａは段付きネジである。引っ掛け部１ｂは金具である。
【００１３】図２は本発明ブラケットの一実施例を示す斜視図である。２はブラケットでＬ型に形成している。該ブラケットの上部には面格子仮置き用の引っ掛け部２ａを凹み状に形成している。ブラケットの下方に上部の引っ掛け部と同じ凹みを形成している。
２ｂは横長の長孔で、枠体をブラケットに固定する固定ねじの挿通孔である。２ｃは縦長の長孔で、ブラケットを躯体に固定する止具の挿通孔である。左右共通に使用できるブラケットにするには上下対称の形状にすればよい。
【００１４】図３は本発明面格子の取り付け状態の一実施例を示す要部斜視図である。
Ｘはルーバ面格子、該面格子の枠体１の上部に形成している引っ掛け部１ａをブラケット２の引っ掛け部，凹み状の引っ掛け部２ａに引っ掛けて仮置きされている。引っ掛け部１ａは段付けネジをとりつけている。しかしてブラケット２が躯体Ｙ、ダキＹに止具２ｃ１を介して固定されている。次いでブラケットの挿通孔２ｂに止具（不図示）を挿通して面格子の枠体に固定する。図面では上部のブラケット２、下部のブラケット３は異種の形状であるが、上部のブラケットを下部に使用できることは論ずるまでもない。３ａは挿通孔、３ｂは挿通孔、３ｃは止具である。
【００１５】図４は本発明面格子の取り付け状態の他の実施例を示す要部平面図である。
ブラケットは面格子取付ブラケット４と、Ｌ型の躯体取付ブラケット５とを備えており、面格子取付ブラケットは所定長さの取付主片４ａを有し、該取付主片の上部には面格子仮置き用の引っ掛け凹部６を形成し、さらに取付主片の一端に取付主片の長手方向に沿って係合溝部７と躯体取付ブラケットの隠し板８とを形成している。
係合溝部７は底部７ａと、一対の側部７ｂと、側部の先端を内側に折曲した係合部７ｃと、該係合部間に開口７ｄを形成しており、上記係合部の長手方向所定の内面に止金具９を当てがい、外面に躯体取付ブラケットの一端を当てがって躯体取付ブラケットと止金具を止具１０で止着し、両ブラケットを連結固定している。次いで面格子取付ブラケットの引っ掛け凹部６に面格子の枠体１の引っ掛け凸部１ａを引っ掛けて仮置きした状態で止金具を介して取付主片に面格子を固定している。１１は躯体である。
以上本発明の実施例について説明しているが、本発明の技術思想を逸脱しない範囲の設計変更は可能である。
【符号の説明】
【００１６】Ｘ      面格子
Ｙ      躯体（ダキ）
１      枠体
１ａ    引っ掛け部
１ｂ    引っ掛け部
２      ブラケット
２ａ    引っ掛け部
２ｂ    挿通孔
２ｃ    挿通孔
２ｃ１  止具
３      下部のブラケット
３ａ    挿通孔
３ｂ    挿通孔
３ｃ    止具
４      面格子取付ブラケット
４ａ    取付主片
５      躯体取付ブラケット
６      引っ掛け凹部
７      係合溝
７ａ    底部
７ｂ    側部
７ｃ    係合部
７ｄ    開口
８      隠し板
９      止金具
１０    止具
１１    躯体
【図１】
2020190172.tif 000003
【図２】
2020190172.tif 000004
【図３】
2020190172.tif 000005
【図４】
2020190172.tif 000006